(57)【要約】【課題】コンデンサとサイリスタを用いた電圧変動吸収装置または無効電力調整装置において応答速度を早くし、装置投入時の突入電流を無くする。【解決手段】極性を逆にしたサイリスタ装置を２台用いて、交流電源の両極性で通電を開始出来るようにする。  また、コンデンサを直流電圧で充電した後、交流電源に接続する。【選択図】        図１
2005176585.tif 000002
【特許請求の範囲】
【請求項１】
サイリスタとダイオードを逆並列に接続したもの、またはサイリスタを逆並列に接続しその内の片方を連続して通電させダイオードとして使用するもの（以下本文ではこれらを総称してサイリスタ装置と記す）にコンデンサとリアクトルを直列に接続したもの（以下本文ではこれをＣ装置と記す）を、交流電源に接続して電圧変動を吸収する装置において、同じ容量のＣ装置を２台並列に交流電源に接続し２台のＣ装置の内１台のＣ装置のダイオードの電源に対する極性と他のＣ装置のダイオードの電源に対する極性を逆にすることを特徴とするコンデンサをサイリスタで制御する装置
【請求項２】
２台の変圧器２次側巻き線にそれぞれＣ装置を接続して電圧変動を吸収する装置において、２次巻き線の極性を１台だけ逆にし、２台のＣ装置を１台の制御器で制御することを特徴とするコンデンサをサイリスタで制御する装置
【請求項３】
Ｃ装置に用いられるコンデンサを直流電源に接続してコンデンサを充電した後、直流電源を切り離し交流電源に接続することを特徴とするコンデンサをサイリスタで制御する装置
【発明の詳細な説明】
【技術分野】
【０００１】  本発明は、サイリスタでコンデンサを制御して電源電圧や無効電力を調整する装置に関するものである。
【背景技術】
【０００２】  従来サイリスタとダイオードを逆並列に接続したもの、またはサイリスタを逆並列に接続しその内の片方を連続的に通電してダイオードとして使用するもの（以下本文ではこれらを総称してサイリスタ装置と記す）を用いてコンデンサを入り切りする装置（以下本文ではこれをＣ装置と記す）はダイオードを用いて電源に対してある一定の極性でコンデンサを充電しておき、逆方向のサイリスタを点弧して交流電流を通電させていた。
本発明に関する背景技術はほとんど３５年程度昔のことであり、最近ではこれに直接関係する発明や技術資料は提出されていない。
【発明の開示】
【発明が解決しようとする課題】
【０００３】  解決しようとする問題点は、従来の装置では交流電源のある極性からだけ制御が始まるので逆の極性については制御遅れが出る問題があった。
また、交流電源に接続した瞬間コンデンサに突入電流が流れる問題があった。
本発明はどの極性でも同じ制御遅れとなる装置を開発すること、および突入電流をなくすることが課題である。
【課題を解決使用とする課題】
【０００４】  同じ容量の装置を２台使用し、互いのダイオードの極性を逆にしてどちらの極性でも通電できるようにすることが課題である。
またコンデンサを充電した後Ｃ装置を交流電源に接続することが課題である。
【発明の効果】
【０００５】  本発明によれば交流電源の両方の極性に対して同じように制御できるコンデンサとサイリスタを用いた電圧変動吸収装置、または無効電力制御装置を作ることが出来る。
また、突入電流のないＣ装置を作ることが出来る。
【発明を実施するための最良の形態】
【０００６】  単相の場合、三相の場合で多少の変化はあるが、例えば１００ＫＶＡ、２００ＫＶＡ、４００ＫＶＡ、８００ＫＶＡ、の三相コンデンサをサイリスタで制御して１５００ＫＶＡのＣ装置を作る場合５０ＫＶＡ２台、１００ＫＶＡ２台、２００ＫＶＡ２台、４００ＫＶＡ２台、のバンクとして２台のダイオードの極性を互いに逆にする。
【実施例１】
【０００７】  図１は本発明の装置の実施例で単相の場合であって、ダイオード２とサイリスタ４を逆並列に接続したものをコンデンサ６に直列に接続しこれらを交流電源１に接続している。
同様にダイオード３とサイリスタ５とコンデンサ７を交流電源１に接続しているが、ダイオード２とダイオード３の極性が互いに逆で、サイリスタ４とサイリスタ５の極性も互いに逆である。
図１は原理の理解のための簡略図で、実際にはコンデンサに直列にリアクトルが接続される。【０００８】  サイリスタ４の点弧位相は交流電源１がマイナスの最大の時であり、サイリスタ５の点弧位相はプラスの最大の時である。
従ってコンデンサ６はマイナス最大の時から通電が開始され、コンデンサ７はプラスの最大の時から通電が開始されるので通電開始および通電終了が交流電圧のプラスとマイナスの両方向で行われる。【０００９】  図２は三相電源の場合の実施例で８は三相電源、９は線路インピーダンス、１０，１１，１２，１３，はサイリスタ装置１４，１５，１６，１７，１８，１９、はリアクトル、２０，２１，２２，２３，２４，２５，はコンデンサである。
図２に示すようにサイリスタ装置１０，１１，とサイリスタ装置１２，１３はダイオードの極性が逆なのでサイリスタの点弧位相が１８０°異なる。
従って三相電源のプラスとマイナスの両方向で通電が開始される。【００１０】  図３は風力発電にＣ装置が用いられる場合の実施例で、２６は特別高圧母線、２７，２８、は断路器、２９，３０，は遮断器、３１，３２は変圧器、３３，３４，は発電機群、３５，３６，で示す点線内はＣ装置、３７，３８，はリアクトル３９，４０，はコンデンサ４１，４２，は開閉器、４３，４４は抵抗器、４５，４６はサイリスタ装置である。【００１１】  このように２台の変圧器にそれぞれ１台づつＣ装置を取り付けた場合、これらを１台の制御装置で制御して交流電圧の極性の両方向で通電開始させる。
図３では直流電源（＋電源）の極性とサイリスタ装置の極性が２台とも同じなので同じ極性で通電開始となるように見えるが、２台の変圧器の２次巻線を互いに逆極性にしているので、特別高圧の母線２６から見ると交流電圧の両極性で通電開始することになる。【００１２】  変圧器の巻線の極性が同じである場合はダイオードの極性と直流電源（＋電源）の極性を逆にする。
図３の場合サイリスタのカソード側がアースなのでパルストランスの絶縁耐圧が少なくなり、また直流電源が共通して使用出来る長所がある。【００１３】  図３に示す装置を運転開始するには、断路器２７，２８、を閉じ、＋電源をＣ装置の電源の波高値とした後開閉器４１，４２を閉じて抵抗器４３，４４、を通してコンデンサ３９，４０、を充電する。
充電が終わった時、開閉器４１，４２，を開いてから直ちに遮断機２９、３０、を投入すれば突入電流無しでＣ装置３５，３６、を変圧器３１、３２、の２次側に接続することが出来る。
この状態でサイリスタ装置４５，４６，を制御装置で制御することが出来る。【００１４】  変圧器３１，３２，の内１台を運転休止する場合はＣ装置も１台運転になるが、発電量や発電の変動速度、変動値、も少なくなるので応答速度が遅くなっても影響が少ない。【００１５】  図４はコンデンサがデルタ結線の場合における直流電源の接続方法を示す回路図で、図２の回路の一部を取り出して、抵抗４７，開閉器４８，直流電源４９、を付加したものであり、図２と同じ符号の動作および名称は同じである。
直流電源４９を三相電源８の波高値にしてから開閉器４８を閉じ、抵抗４７を通してコンデンサ２０，２１，を充電する。
充電が完了してから開閉器４８を開き三相電源８を投入すると突入電流無しでＣ装置を電源に接続することが出来る。
【産業上の利用可能性】  交流電源の電圧変動が激しい場所に設置して、電圧変動を吸収したり無効電力を調整したりする。
コンデンサ投入時の突入電流を防止する。
【図面の簡単な説明】
【００１６】
【００１７】
【図１】単相Ｃ装置の実施方法を示した回路図である。（実施例１）
【図２】三相Ｃ装置の実施方法を示した回路図である。（実施例２）
【図３】２台の変圧器に分けて三相Ｃ装置を設置する場合の実施方法を示す回路図である。（実施例３）
【図４】コンデンサがデルタ結線の場合における直流電源の接続方法を示す回路図である。（実施例４）
【符号の説明】
【００１８】１        交流電源
２、３    ダイオード
４，５    サイリスタ
６，７    コンデンサ
８        三相電源
９        線路インピーダンス
１０，１１，１２，１３    サイリスタ装置
１４，１５，１６，１７，１８，１９  リアクトル
２０，２１，２２，２３，２４，２５  コンデンサ
２６          特別高圧母線
２７，２８    断路器
２９，３０    遮断器
３１，３２    変圧器
３３，３４    発電機群
３５，３６    Ｃ装置
３７，３８    リアクトル
３９，４０    コンデンサ
４１，４２    開閉器
４３，４４    抵抗器
４５，４６    サイリスタ装置
４７          抵抗器
４８          開閉器
４９          直流電源
【図１】
2005176585.tif 000003
【図２】
2005176585.tif 000004
【図３】
2005176585.tif 000005
【図４】
2005176585.tif 000006